(57)【要約】【課題】スプルー内にて成形されるスプルー成形体が冷却固化するまで待つことなく、薄肉成形品が固化した時点で薄肉成形品のチャッキング用治具を用いた脱型を行うことができ、生産サイクルを向上することができる薄肉成形品の製造方法を提供する。【解決手段】厚み０．２ｍｍ以下の薄肉部の投影面積が１０ｍｍ２〜２０００ｍｍ２の範囲である薄肉成形品１を合成樹脂材料により金型成形にて形成する。この金型成形時には、チャッキング用成形体２を前記薄肉成形品１と一体に形成する。スプルー成形体が成形固化されることを待つことなく、薄肉成形品１とチャッキング用成形体２とが共に完全に成形固化されたならば、型開きして、チャッキング用成形体２をチャッキング用治具４０により挟持しながら引き抜くことにより、薄肉成形品１を容易に脱型することができる。【選択図】      図１
2004322379.tif 000002
【特許請求の範囲】
【請求項１】
厚み０．２ｍｍ以下の薄肉部の投影面積が１０ｍｍ２〜２０００ｍｍ２の範囲である薄肉成形品を合成樹脂材料により金型成形にて形成するにあたり、チャッキング用成形体を前記薄肉成形品と一体に形成することを特徴とする薄肉成形品の製造方法。
【請求項２】
前記チャッキング用成形体を、厚み２ｍｍ以下に形成することを特徴とする請求項１に記載の薄肉成形品の製造方法。
【請求項３】
前記チャッキング用成形体を複数形成することを特徴とする請求項１又は２に記載の薄肉成形品の製造方法。
【請求項４】
請求項１乃至３のいずれかに記載の方法にて形成されたことを特徴とする薄肉成形品。
【請求項５】
厚み０．２ｍｍ以下の薄肉部の投影面積が１０ｍｍ２〜２０００ｍｍ２の範囲である薄肉成形品を成形するためのキャビティと、前記キャビティと連通するように設けられたチャッキング用成形体を成形するためのキャビティとを具備することを特徴とする成形金型。
【発明の詳細な説明】
【０００１】
【発明の属する技術分野】
本発明は、特に携帯電話等の携帯情報端末に使用されるシールド部品や、フラッシュメモリー等が搭載されるメモリーカード成形品として好適に使用することができる薄肉成形品の製造方法、この方法により製造される薄肉成形品及びこの方法に使用する成形金型に関するものである。
【０００２】
【従来の技術】
近年、厚みや大きさが制限されている携帯電話等の携帯情報端末やメモリーカードの高機能化に伴い、内蔵される部品の高実装化が要求される中で、携帯情報端末に内蔵されるシールド部品やメモリーカード用成形品の厚みを可能な限り薄くして、携帯情報端末やメモリーカードに部品をより多く搭載する容積を稼ぐことが要求されてきている。
【０００３】
そのため、従来、特許文献１に開示されているように、熱可塑性樹脂の射出金型成形による厚み０．２ｍｍ以下の薄肉部を有する成形品が提供されている。
【０００４】
このような薄肉成形品を金型成形により得る場合には、従来、図１０に示すような薄肉成形品１を金型内で冷却固化した後、脱型時に成形品に一体に形成されたスプルー成形体５（金型のスプルーにおいて成形される成形体）をロボットアーム等のチャッキング用治具にて挟持すると共に引き出すことにより、薄肉成形品１を金型から取り外すようにしていた。
【０００５】
【特許文献１】
特開平１０−１５７３５８号公報
【０００６】
【発明が解決しようとする課題】
しかし、上記のようにスプルー成形体５を支持することで薄肉成形品を脱型する場合は、スプルー成形体５が十分に冷却固化されている必要があるが、上記のスプルー成形体５は最大肉厚部分の厚みが３〜１０ｍｍ程度であって、薄肉成形品１と比べて厚みが厚く、このため、スプルー成形体５を十分に冷却固化させるためには、金型内で薄肉成形品１が十分に固化された後も、スプルー成形体５が固化するまで冷却を行わなければならなかった。
【０００７】
本発明は上記の点に鑑みてなされたものであり、スプルー成形体が冷却固化するまで待つことなく、成形品が固化した時点で成形品の脱型を行うことができ、生産サイクルを向上することができる薄肉成形品の製造方法、この製造方法により得られる薄肉成形品、及びこの製造方法に用いる成形金型を提供することを目的とするものである。
【０００８】
【課題を解決するための手段】
請求項１に係る薄肉成形品の製造方法は、厚み０．２ｍｍ以下の薄肉部３の投影面積が１０ｍｍ２〜２０００ｍｍ２の範囲である薄肉成形品１を合成樹脂材料により金型成形にて形成するにあたり、チャッキング用成形体２を前記薄肉成形品１と一体に形成することを特徴とするものである。
【０００９】
請求項２の発明は、請求項１において、前記チャッキング用成形体２を、厚み２ｍｍ以下に形成することを特徴とするものである。
【００１０】
請求項３の発明は、請求項１又は２において、前記チャッキング用成形体２を複数形成することを特徴とするものである。
【００１１】
請求項４に係る薄肉成形品は、請求項１乃至３のいずれかに記載の方法にて形成されたことを特徴とするものである。
【００１２】
請求項５に係る成形金型は、厚み０．２ｍｍ以下の薄肉部３の投影面積が１０ｍｍ２〜２０００ｍｍ２の範囲である薄肉成形品１を成形するためのキャビティと、前記キャビティと連通するように設けられたチャッキング用成形体２を成形するためのキャビティとを具備することを特徴とするものである。
【００１３】
【発明の実施の形態】
以下、本発明の実施の形態を説明する。
【００１４】
薄肉成形品１を得るために用いる成形用樹脂としては、適宜の熱可塑性樹脂を用いることができ、例えばポリカーボネート、ポリエステル、ポリオレフィン、ＰＥＴ（ポリエチレンテレフタレート）、ＰＢＴ（ポリブチレンテレフタレート）、アクリロニトリル−ブタジエン−スチレン共重合体樹脂（ＡＢＳ樹脂）、ポリエーテルイミド、ポリエーテルサルフォン、ポリフェニレンサルファイド、液晶ポリー等、或いはこれらの樹脂のアロイ等のような、エンジニアリングプラスチックを用いることができる。
【００１５】
図１は本発明で得られる薄肉成形品１の一例を示すものである。この薄肉成形品１には、チャッキング用成形体２が一体に設けられている。
【００１６】
薄肉成形品１は、厚み０．２ｍｍ以下の薄肉部３を有するものであり、この薄肉部３の、厚み方向に投影した投影面積は、１０〜２０００ｍｍ２である。また薄肉成形品１には、厚み０．２ｍｍを超える厚肉部分を設けても良いが、このような厚肉部分を設ける場合、その厚みは、２ｍｍ以下であることが好ましく、またその厚み方向の投影面積は２〜４０ｍｍ２であることが好ましい。
【００１７】
またチャッキング用成形体２は、薄肉成形品１から突出するように一体に形成されている。図示の例では、チャッキング用成形体２は、平面視略矩形状の薄肉成形品１の周縁部の一部に、外縁方向に向けて一体に突設されている。また図１に示す例では、このチャッキング用成形体２は、更に薄肉成形品１の厚み方向に向けて、薄肉成形品１の表面を含む平面よりも突出するように形成されている。
【００１８】
チャッキング用成形体２の形状は特に制限されないが、チャッキング用治具４０による支持が容易であるようにするためには、平板状に形成することが好ましく、図示の例では、その厚み方向が薄肉成形品１からの外縁に向けてのチャッキング用成形体２の突出方向、及び、薄肉成形品１の厚み方向と、直交する方向となった平板状に形成されている。
【００１９】
またチャッキング用成形体２は、薄肉成形品１の成形金型２０内での冷却固化時において、薄肉成形品１の薄肉部３とチャッキング用成形体２の固化完了のタイミングの差が小さくなるように、その厚みを２ｍｍ以下となるように形成することが好ましい。
【００２０】
また、図１ではチャッキング用成形体２は薄肉成形品１に対して一つ設けられているが、複数のチャッキング用成形体２を設けることもできる。例えば図２（ａ）に示す例では、チャッキング用成形体２は、平面視略矩形状の薄肉成形品１の周縁部の一部に、外縁方向に向けて一体に突設されており、このとき複数のチャッキング用成形体２が直列に連設形成されている。
【００２１】
また図２（ｂ）に示すように、複数のチャッキング用成形体２を連設成形する代わりに、薄肉成形品１からの突出寸法が大きいチャッキング用成形体２を一つ設けるようにしても良い。
【００２２】
また、図示の薄肉成形品１には、ゲート成形体４とスプルー成形体５も一体に形成されている。スプルー成形体５は、薄肉成形品１の金型成形時に、成形金型２０のスプルー内にて成形された樹脂成形体であり、またゲート成形体４は、薄肉成形品１の金型成形時に、成形金型２０のゲートにて成形された樹脂成形体である。
【００２３】
このように形成された薄肉成形品１は、金型成形後の型開き時等に、図６（ａ）に示すようにロボットアーム等のチャッキング用治具４０にてチャッキング用成形体２を挟持して支持し、金型から取り出すなど、移動させることができる。
【００２４】
また、チャッキング用成形体２は、成形金型２０の構成や薄肉成形品１の取りだし方向等に応じて、適宜の位置に適宜の形状となるように形成すればよく、例えば図６（ｂ）に示すように、チャッキング用成形体２を、平面視略矩形状の薄肉成形品１の周縁部の一部に、外縁方向に向けて一体に突設し、更にその厚み方向が薄肉成形品１の厚み方向と一致する平板状に形成しても良い。
【００２５】
このようなチャッキング用成形体２やゲート成形体４、スプルー成形体５が一体に形成された薄肉成形品１から、チャッキング用成形体２、ゲート成形体４及びスプルー成形体５を切り離すことで、薄肉成形品１の完成品が得られるものである。
【００２６】
図３は、薄肉成形品１の形状の一例を示すものであり、ここでは電磁波シールドとして形成する例を挙げている。この薄肉成形品１は平面視矩形状の平板状に形成されており、厚み方向に凹入する薄肉凹部６や、厚み方向に貫通する貫通部７が形成されている。そして薄肉凹部６が形成されている部位が、厚み０．２ｍｍ以下の薄肉部３として形成されている。このような薄肉成形品１は、例えば表面全面にめっき処理を施した後、図４に示すように、電子部品９が実装された基板８を添設すると共に薄肉凹部６内や貫通部７内に電子部品９が配置されるようにして、電磁波シールド用部材として使用される。このとき、電磁波シールドを施す必要がある電子部品９は薄肉凹部６内に配置し、貫通部７内には寸法の大きい電子部品９や電磁波シールドを施す必要がない電子部品９を配置することが好ましい。またこれらの電子部品９には、金属等からなる放熱層１０を設けることも好ましいものであり、図示の例では、貫通部７に配置された電子部品９の、貫通部７から外部に露出する外面に、放熱層１０が設けられている。
【００２７】
また図５に示すように、薄肉成形品１の一面側に開口する薄肉凹部６と、他面側に開口する薄肉凹部６とを形成すれば、めっき処理が施された薄肉成形品１の一面と他面とに、それぞれ電子部品９が実装された基板８を添設すると共に薄肉凹部６内や貫通部７内に電子部品９が配置されるようにして、電磁波シールド用部材として使用することもできる。このとき、寸法の大きな電子部品９を貫通部７内に配置するようにして、電子部品９が配置される領域を確保することができる。
【００２８】
上記のようなチャッキング用成形体２を作製するにあたっては、図７に示すような成形金型２０を用いることができる。この成形金型２０は、厚み０．２ｍｍ以下の薄肉部３の投影面積が１０ｍｍ２〜２０００ｍｍ２の範囲である薄肉成形品１を成形するためのキャビティ２１と、このキャビティ２１と連通するように設けられたチャッキング用成形体２を成形するためのキャビティ２２とを備えている。
【００２９】
図示の成形金型２０は、一対の型体２０ａ，２０ｂから構成されている。この型体２０ａ，２０ｂは、通常は一方が固定側型、他方が可動側型として形成されるものであり、図示の例では例えば上型である型体２０ａが固定側型、下型である型体２０ｂが可動側型として形成される。
【００３０】
キャビティ２１，２２は、凹凸に形成された型体２０ａと型体２０ｂの各対向面を合わせることで、この型体２０ａと型体２０ｂとの間に形成される。
【００３１】
チャッキング用成形体２が形成されるキャビティ２２は、各型体２０ａ，２０ｂの一方又は双方に形成された凹所３２により構成することができる。このときチャッキング用成形体２用のキャビティ２２は一方の型体２０ａ（又は２０ｂ）に設けられた凹所３２のみにて形成されるようにすることが好ましく、この場合、成形金型作製時にチャッキング用成形体２用のキャビティ２２のための凹所３２を一方の型体２０ａ（又は２０ｂ）にのみ形成すればよくなり、金型作製の際の加工に要する手間が削減できる。またこのキャビティ２２が形成される凹所３２を、成形時に上側に配置される型体２０ａ（型体２０ａ）にのみ形成すれば、残存分を落下させやすいなど、使いやすいので好ましい。すなわち、型開き時に薄肉成形品１を型体２０ｂに残存させやすくなり、またこのときチャッキング用成形体２は型体２０ｂから上方に突出するように形成され、チャッキング用治具４０によってチャッキング用成形体２を掴みやすくなるものである。またこのキャビティ２２は、型開き時にチャッキング用成形体２がチャッキング用治具４０に広い面をさらすように設けることでチャッキング用治具４０によってチャッキング用成形体２を掴みやすくなるようにすることが好ましいものであり、そのためにも、上記のようにキャビティ２２が形成される凹所３２を一方の型体２０ａ（又は２０ｂ）、特に成形時に上側に配置される型体２０ａにのみ形成することが好ましい。
【００３２】
また図示の例では、薄肉成形品１が形成されるキャビティ２１は、型体２０ａに設けられた上記凹所３２と連通する凹所３１ａと、型体２０ｂに設けられた凹所３１ｂとから構成されるものであり、型合わせ時に二つの凹所３１ａ，３１ｂが互いにその開口を塞ぎ合うように合わさって、この凹所３１ａ，３１ｂ内にキャビティ２１が形成されるようになっている。
【００３３】
また図示の例では、型体２０ａの凹所３１ａは、その底面（天井面）が凹凸なく平坦に形成されている。一方、型体２０ｂの凹所３１ｂには、薄肉成形品１の薄肉凹部６の形成位置に相当する箇所に凸部２６が、貫通部７の形成位置に相当する箇所に凸部２７が、それぞれ設けられている。各凸部２６，２７は凹所３１ｂの底面凹所３１外に突出するように形成されている。
【００３４】
ここで型合わせ時には、薄肉凹部６に相当する凸部２６は型合わせ時にその先端面と型体２０ａの底面との間に隙間が形成されて、この隙間が薄肉部３が形成される空間２３となるように設けられている。また貫通部７に相当する凸部２７は型合わせ時にその先端面と上型の底面とが当接するように設けられている。
【００３５】
上記の例では、薄肉凹部６のような凹凸や貫通部７等を形成するための凸部２６，２７を、型体２０ｂの凹所３１ｂにのみ設けているが、特に薄肉凹部６等のような凹凸を薄肉成形品１の片面にのみ設ける場合には、このように凸部２６，２７を一方の型体２０ａ（又は２０ｂ）の凹所３１ａ（又は３１ｂ）にのみ設けるようにすれば、片方の型体２０ａ（又は２０ｂ）にのみ凸部２６，２７を設ければよくなり、金型作製の際の加工に要する手間が削減できる。
【００３６】
また、スプルー成形体５が形成されるキャビティ２５（スプルー）は、型体２０ａに設けられた凹所３５ａと、型体２０ｂに設けられた凹所３５ｂとから構成されるものであり、型合わせ時に二つの凹所３５ａ，３５ｂが互いにその開口を塞ぎ合うように合わさって、この凹所３５ａ，３５ｂ内にキャビティ２５が形成されるようになっている。図示の例では、型体２０ａに円錐状の凹所３５ａを形成して、この凹所３５ａ側から合成樹脂材料が注入されるようにし、また型体２０ｂには平面視円形状の浅い凹所３５ｂを形成して、型合わせ時にこの凹所３５ｂにて上記凹所３５ａが閉塞されるようになっている。ここで凹所３５ｂは、成形後の型開き時にスプルー成形体５を噛み込んで成形体全体を型体２０ｂ側に残存させる機能も有する。
【００３７】
また、薄肉成形品１が形成されるキャビティ２１と、スプルー成形体５が形成されるキャビティ２５とは、ゲート成形体４が形成されるキャビティ２４（ゲート）にて連通されている。このキャビティ２４は、一方の型体２０ａ（又は２０ｂ）に設けられた凹所３４のみにて形成されるようにすることが好ましく、この場合、成形金型作製時にゲート成形体４用のキャビティ２４のための凹所３４を一方の型体２０ａ（又は２０ｂ）にのみ形成すればよくなり、金型作製の際の加工に要する手間が削減できる。図示の例では、凹所３４は型体２０ｂにのみ形成され、この凹所３４が、凹所３１ｂ及び凹所３５ｂに連通するように形成され、これにより、ゲート成形体４用のキャビティ２４が、薄肉成形品１用のキャビティ２１及びスプルー成形体５用のキャビティ２５と連通するように形成されている。
【００３８】
またこの成形金型２０には、必要に応じてノックアウトピン等も設けられる。
【００３９】
成形金型２０を用いて薄肉成形品１を製造するにあたっては、上記のような適宜の熱可塑性樹脂を用い、射出成形を行う。このときの成形条件は、熱可塑性樹脂の種類や成形金型２０の構成等に応じて適宜設定されるが、射出ピーク圧力２９４ＭＰａ以下、射出速度５００ｍｍ／ｓ以上、射出時間０．０１５〜０．０１秒、金型温度６０〜９０℃、冷却時間５〜３０秒の範囲で行うことが好ましい。
【００４０】
そして成形後、成形金型２０を型開きし、ロボットアーム等のチャッキング用治具４０にてチャッキング用成形体２を挟持して引き出すことにより脱型することで、図１や図２に示すような、チャッキング用成形体２とスプルー成形体５が一体に形成された薄肉成形品１が得られる。脱型の際には、ノックアウトピン等により成形体を脱離させた後にチャッキング用治具４０にてチャッキング用成形体２を挟持して引き出し、次工程へ移動させることもできる。次いで、チャッキング用成形体２とスプルー成形体５とを薄肉成形品１から切断することにより、薄肉成形品１の完成品が得られるものである。
【００４１】
このようにして薄肉成形品１を形成すると、冷却固化時に薄肉成形品１と、チャッキング用成形体２とが共に完全に成形固化されるので、型開きして、チャッキング用成形体２をチャッキング用治具４０により挟持しながら引き抜くことにより、薄肉成形品１を容易に脱型することができるものであり、脱型時にスプルー成形体５を挟持しながら引き抜く場合のようにスプルー成形体５を完全に固化させる必要がなくなって、冷却固化時間を短縮し、薄肉成形品１の成形サイクルを向上することができるものである。
【００４２】
また、薄肉成形品１に対してチャッキング用成形体２を複数個設けると、これに対応して、脱型時に複数箇所でチャッキング用治具４０にてチャッキング用成形体２を挟持することができて、ねじれ、反り等が少ない、より安定した支持が可能となり、薄肉成形品１を、チャッキング用成形体２やスプルー成形体５の切断等のための後工程へ移動させる際にロボットアーム等のチャッキング用治具４０の振動等による薄肉成形品１の振動を抑制して、薄肉成形品１を所定のセッティング位置に容易に移動させることができるものである。
【００４３】
以上の説明においては、単数取りでの金型成形における例を示しているが、多数個取りで薄肉成形品１を形成する場合でも、同様にチャッキング用成形体２を形成して、脱型時にはこのチャッキング用成形体２をチャッキング用治具４０により挟持しながら、脱型や次工程への移動を行うようにすることができる。
【００４４】
例えば図８に示す例では、四個取りで薄肉成形品１を形成する場合を示しており、この場合、スプルー成形体５から四つに分岐したランナ成形体１１（成形金型２０のランナに形成された成形体）及びこのランナ成形体１１の端部に形成されたゲート成形体４が設けられ、このゲート成形体４に薄肉成形品１が一体に設けられている。四個の薄肉成形品１は２行２列のマトリクス状に配置されており、各薄肉成形品１は内側の端縁でゲート成形体４に接続され、外側の端縁にはチャッキング用成形体２がそれぞれ形成されている。各チャッキング用成形体２は、図１に示すものと同様に形成されている。
【００４５】
このような薄肉成形品１を射出成形により成形する場合には、上記のような薄肉成形品１、チャッキング用成形体２、ゲート成形体４、スプルー成形体５、ランナ成形体１１等を形成するためのキャビティが設けられた成形金型を用い、射出成形により形成される。
【００４６】
このように多数個取りで薄肉成形品１が形成される場合も、成形体の脱型時には、一個取りの場合と同様に、型開き後、チャッキング用成形体２をチャッキング用治具４０により挟持しながら引き抜くことにより、薄肉成形品１を容易に脱型することができる。このとき、複数箇所（図８の例では４箇所）に形成された各チャッキング用成形体２を、それぞれチャッキング用治具４０により挟持するようにすれば、薄肉成形品１を安定して支持することができる。また、総てのチャッキング用成形体２を支持しなくても、例えば図８の例において、対角線状に配置された二つのチャッキング用成形体２のみをチャッキング用治具４０により挟持するなどのように、任意の複数のチャッキング用成形体２を選択してこれをチャッキング用治具４０により挟持すれば、安定した支持が可能となる。
【００４７】
また、図９に示す例では、二個取りで薄肉成形品１を形成する場合を示しており、この場合、スプルー成形体５から二つに分岐したランナ成形体１１（成形金型２０のランナに形成された成形体）及びこのランナ成形体１１の端部に形成されたゲート成形体４が設けられ、このゲート成形体４に薄肉成形品１が一体に設けられている。二つの薄肉成形品１は２列に並んで配置されており、各薄肉成形品１は内側の端縁でゲート成形体４に接続され、外側の端縁にはチャッキング用成形体２がそれぞれ形成されている。
【００４８】
また図示の例では、チャッキング用成形体２は図６（ｂ）に示すように、薄肉成形品１の周縁部の一部に、外縁方向に向けて一体に突設し、更にその厚み方向が薄肉成形品１の厚み方向と一致する平板状に形成されている。
【００４９】
このようなチャッキング用成形体２やゲート成形体４、スプルー成形体５が一体に形成された薄肉成形品１から、チャッキング用成形体２、ゲート成形体４及びスプルー成形体５を切り離すことで、薄肉成形品１の完成品が得られるものである。
【００５０】
この図９に示す例でも、成形体の脱型時には、一個取りの場合と同様に、型開き後、チャッキング用成形体２をチャッキング用治具４０により挟持しながら引き抜くことにより、薄肉成形品１を容易に脱型することができる。このとき、図示のように、チャッキング用治具４０により、二つのチャッキング用成形体２のうちの一方の外縁と他方の外縁とをそれぞれ外側方から挟み込むことで成形体全体を挟持して支持することができる。
【００５１】
この図９に示す例は、成形金型２０を横開き状に形成する場合、すなわち一対の型体２０ａ，２０ｂが横方向に対向して配置されるように形成する場合に、適用することが好ましい。この場合は、型開き後、ノックアウトピン等により成形体を脱型すると同時にチャッキング用治具４０による支持を行うようにすることができる。
【００５２】
【実施例】
以下、本発明を実施例によって詳述する。
【００５３】
（実施例１）
成形用樹脂としては、三菱レーヨン株式会社製のＡＢＳ樹脂（品番「ＴＭ２０Ｍ」）を用いた。
【００５４】
また、成形用金型としては、図７に示すような形状を有し、平面視寸法７０×４２ｍｍ、厚み０．２ｍｍの薄肉部３の投影面積が１７６４ｍｍ２、厚み１．５ｍｍの厚肉部分の投影面積が３２３ｍｍ２である薄肉成形品１が形成されるキャビティと、厚み１．５ｍｍのチャッキング用成形体２を成形するためのキャビティと、最も大径の部分の直径が５ｍｍとなったスプルーを有するものを用いた。
【００５５】
そして、射出ピーク圧力２０００ｋｇｆ／ｃｍ２（１９６ＭＰａ）、射出速度６００ｍｍ／ｓ、射出時間０．０２２秒、金型温度７０℃、冷却時間６秒の条件で射出圧縮成形を行い、スプルー成形体５とチャッキング用成形体２とが一体に形成された薄肉成形品１を得た。また冷却速度を４秒に変更した以外は同様にして薄肉成形品１を得た。
【００５６】
この薄肉成形品１からは、脱型後、スプルー成形体５とチャッキング用成形体２とを切り離した。
【００５７】
このようにして薄肉成形品１を形成すると、冷却時間が６秒と４秒のいずれの場合でも、薄肉成形品１と、チャッキング用成形体２とは、共に完全に成形固化され、型開き後、チャッキング用成形体２をチャッキング用治具４０により挟持しながら引き抜くことにより、薄肉成形品１を容易に脱型することができた。
【００５８】
（実施例２）
成形金型におけるチャッキング用成形体２が形成されるキャビティを、チャッキング用成形体２の厚みが０．８ｍｍとなるように形成し、それ以外は実施例１と同様にして、薄肉成形品１を得た。
【００５９】
このようにして薄肉成形品１を形成する場合でも、冷却時間が６秒と４秒のいずれにおいても、薄肉成形品１と、チャッキング用成形体２とは、共に完全に成形固化され、型開き後、チャッキング用成形体２をチャッキング用治具４０により挟持しながら引き抜くことにより、薄肉成形品１を容易に脱型することができた。
【００６０】
（比較例１）
成形用金型としては、チャッキング用成形体２を成形するためのキャビティを有しないものを用い、それ以外は上記各実施例と同様にして、スプルー成形体５が一体に形成された薄肉成形品１を成形したところ、冷却時間が４秒、６秒のいずれの場合でも、薄肉成形品１は完全に成形固化されたが、スプルー成形体５は軟質な状態にあり、スプルー成形体５をチャッキング用治具４０により挟持しながら引き抜こうとしてもスプルー成形体５が変形してしまって、薄肉成形品１を脱型することができなかった。
【００６１】
（比較例２）
比較例１において、成形時の冷却時間を１３秒に延長したところ、脱型することは可能となったが、冷却時間が長くなることで、成形サイクル時間が長くなってしまった。
【００６２】
【発明の効果】
上記のように請求項１に係る薄肉成形品の製造方法によって、成形時に薄肉成形品とチャッキング用成形体とが共に完全に成形固化されたならば、型開きして、チャッキング用成形体をチャッキング用治具により挟持しながら引き抜くことにより、薄肉成形品を容易に脱型することができるものであり、脱型時にスプルー成形体を挟持しながら引き抜く場合のようにスプルー成形体を完全に固化させる必要がなくなって、成形時間を短縮し、薄肉成形品の成形サイクルを向上することができるものである。
【００６３】
また請求項２の発明によって、チャッキング用成形体が成形固化されるための要する時間を短縮して、成形時間を更に短縮し、薄肉成形品の成形サイクルを更に向上することができるものである。
【００６４】
また請求項３の発明によって、脱型時に複数箇所でチャッキング用治具にてチャッキング用成形体を挟持することができて、より安定した支持が可能となり、薄肉成形品を後工程へ移動させる際にチャッキング用治具の振動等による薄肉成形品の振動を抑制して、薄肉成形品を所定のセッティング位置に容易に移動させることができるものである。
【００６５】
また請求項４に係る薄肉成形品は、請求項１乃至３のいずれかに記載の方法にて形成されたものであるため、この薄肉成形品の金型成形時には、薄肉成形品とチャッキング用成形体とが共に完全に成形固化されたならば、型開きして、チャッキング用成形体をチャッキング用治具により挟持しながら引き抜くことにより、薄肉成形品を容易に脱型することができるものであり、脱型時にスプルー成形体を挟持しながら引き抜く場合のようにスプルー成形体を完全に固化させる必要がなくなって、成形時間を短縮し、薄肉成形品の成形サイクルを向上することができるものである。
【００６６】
また請求項５に係る成形金型を用いて、厚み０．２ｍｍ以下の薄肉部の投影面積が１０ｍｍ２〜２０００ｍｍ２の範囲である薄肉成形品と、チャッキング用成形体とを一体に形成することができ、この金型成形時には、薄肉成形品とチャッキング用成形体とが共に完全に成形固化されたならば、型開きして、チャッキング用成形体をチャッキング用治具により挟持しながら引き抜くことにより、薄肉成形品を容易に脱型することができるものであり、脱型時にスプルー成形体を挟持しながら引き抜く場合のようにスプルー成形体を完全に固化させる必要がなくなって、成形時間を短縮し、薄肉成形品の成形サイクルを向上することができるものである。
【図面の簡単な説明】
【図１】本発明の実施の形態の一例を示すものであり、（ａ）は側面図、（ｂ）は正面図である。
【図２】本発明の実施の形態の他例を示すものであり、（ａ）は側面図、（ｂ）は他の一部の側面図、（ｃ）は正面図である。
【図３】（ａ）は同上の実施の形態における薄肉成形品の完成品の一例を示す斜視図、（ｂ）は（ａ）のＡ−Ａ断面図、（ｃ）は（ａ）のＢ−Ｂ断面図である。
【図４】同上の実施の形態における薄肉成形品の使用形態の一例を示す断面図である。
【図５】同上の実施の形態における薄肉成形品の使用形態の他例を示す断面図である。
【図６】（ａ）本発明の実施の形態の一例を示す斜視図、（ｂ）は本発明の実施の形態の他例を示す斜視図である。
【図７】成形金型の構成の一例の概略を示すものであり、（ａ）は断面図、（ｂ）は一方の型体の対向面側の平面図、（ｃ）は他方の型体の対向面側の平面図である。
【図８】本発明の実施の形態の別の例を示す平面図である。
【図９】本発明の実施の形態の更に別の例を示す平面図である。
【図１０】従来技術を示すものであり、（ａ）は側面図、（ｂ）は正面図である。
【符号の説明】
１  薄肉成形品
２  チャッキング用成形体
３  薄肉部
【図１】
2004322379.tif 000003
【図２】
2004322379.tif 000004
【図３】
2004322379.tif 000005
【図４】
2004322379.tif 000006
【図５】
2004322379.tif 000007
【図６】
2004322379.tif 000008
【図７】
2004322379.tif 000009
【図８】
2004322379.tif 000010
【図９】
2004322379.tif 000011
【図１０】
2004322379.tif 000012